(57)【要約】【課題】無線通信モジュールを不必要に起動せず、必要な場合のみ無線通信モジュールを起動するとともに、必要なデータを自動的に外部端末へ送信することができる。【解決手段】ＲＦＩＤモジュール１２は、外部端末が無線通信モジュール１１と無線通信を行うために設定する無線通信設定情報と、送信対象データの有無を示すデータ有無情報とを記憶し、外部端末から送信される読み取り要求を検出した場合、読み取り要求に応じて、読み取り要求を送信した外部端末に対して無線通信設定情報を無線送信する。また、ＲＦＩＤモジュール１２は、無線通信モジュール１１が第２状態で動作しているときに、読み取り要求を検出した場合かつ送信対象データが有ることを示す送信対象データを記憶している場合には、無線通信モジュール１１の状態を第２状態から第１状態に遷移させる信号を制御部または電源制御部の何れかに出力する。【選択図】図２
2015026212.tif 000002
【特許請求の範囲】
【請求項１】
外部端末とデータリンク層より上位層で無線通信を行う第１状態と、前記外部端末とデータリンク層より上位層で無線通信を行わないまたは前記外部端末とデータリンク層で無線通信するための電力が供給されない第２状態とのいずれかの状態で動作し、前記第１状態で動作する際には送信対象データを無線送信する無線通信モジュールと、
前記無線通信モジュールに電力を供給する電源部と、
前記電源部の電力供給制御を行う電源制御部と、
データリンク層より上位層のパラメータを前記無線通信モジュールに設定する制御を行う制御部と、
前記外部端末が前記無線通信モジュールと無線通信を行うために設定する無線通信設定情報と、前記送信対象データの有無を示すデータ有無情報とを記憶し、前記外部端末から送信される前記無線通信設定情報の読み取り要求を検出するとともに、前記読み取り要求を検出した場合、前記読み取り要求に応じて、前記読み取り要求を送信した前記外部端末に対して前記無線通信設定情報を無線送信するＲＦＩＤモジュールと、
前記ＲＦＩＤモジュールが記憶している前記データ有無情報を更新するデータ更新部と、
を備え、
前記ＲＦＩＤモジュールは、前記無線通信モジュールが前記第２状態で動作しているときに、前記読み取り要求を検出した場合かつ前記送信対象データが有ることを示す前記送信対象データを記憶している場合には、前記無線通信モジュールの状態を前記第２状態から前記第１状態に遷移させる信号を前記制御部または前記電源制御部の何れかに出力する
ことを特徴とするＲＦＩＤ付き無線通信端末。
【請求項２】
前記第１状態は、前記無線通信モジュールに前記電源部から電力が供給されている状態であり、前記第２状態は、前記無線通信モジュールに前記電源部から電力が供給されていない状態であり、
前記電源制御部は、前記無線通信モジュールへの電力の供給を制御し、
前記ＲＦＩＤモジュールは、前記第２状態から前記第１状態に遷移させる信号として、前記無線通信モジュールへの電力の供給を指示する信号を前記電源制御部に出力する
ことを特徴とする請求項１に記載のＲＦＩＤ付き無線通信端末。
【請求項３】
データを表示する表示部
を備え、
前記電源部は前記無線通信モジュールに電力を供給し、
前記電源制御部は、前記表示部への電力の供給を制御する
ことを特徴とする請求項２に記載のＲＦＩＤ付き無線通信端末。
【請求項４】
前記電源制御部は、前記ＲＦＩＤモジュールから前記無線通信モジュールへの電力の供給を指示する信号が入力された場合には前記電源部の残電力量を検出し、残電力量が第１閾値以上の場合には、前記表示部と前記無線通信部とに電力を供給するように前記電源部を制御し、前記電源部の残電力量が前記第１閾値未満の場合には、前記表示部には電力を供給せず前記無線通信部には電力を供給するように前記電源部を制御する
ことを特徴とする請求項３に記載のＲＦＩＤ付き無線通信端末。
【請求項５】
前記電源制御部は、前記ＲＦＩＤモジュールから前記無線通信モジュールへの電力の供給を指示する信号が入力された場合には前記電源部の残電力量を検出し、残電力量が前記第１閾値よりも低い第２閾値以上の場合には、前記表示部には電力供給を前記無線通信部には電力を供給するように前記電源部を制御し、残電力量が前記第２閾値未満の場合には前記表示部と前記無線通信部とに電力を供給しないように前記電源部を制御する
ことを特徴とする請求項４に記載のＲＦＩＤ付き無線通信端末。
【請求項６】
前記ＲＦＩＤモジュールは、前記第２状態から前記第１状態に遷移させる信号として、前記第２の状態であるスタンバイモードから前記第１の状態であるアクティブモードに遷移させる信号を前記制御部に出力する
ことを特徴とする請求項１に記載のＲＦＩＤ付き無線通信端末。
【請求項７】
前記ＲＦＩＤモジュールは、前記データ有無情報として前記送信対象データのリストを記憶し、前記リストを前記外部端末に送信する
ことを特徴とする請求項１に記載のＲＦＩＤ付き無線通信端末。
【請求項８】
前記データ更新部は、前記無線通信モジュールが前記外部端末に前記送信対象データを送信した後、前記ＲＦＩＤモジュールが記憶している前記データ有無情報を更新する
ことを特徴とする請求項１に記載のＲＦＩＤ付き無線通信端末。
【請求項９】
前記ＲＦＩＤモジュールは、前記外部端末毎に前記データ有無情報を記憶し、
前記データ更新部は、前記外部端末毎に前記データ有無情報を更新する
ことを特徴とする請求項１に記載のＲＦＩＤ付き無線通信端末。
【請求項１０】
前記送信対象データのメタデータを記憶する記憶部と、
前記メタデータを元に前記データ有無情報を生成する生成部と、
を備えることを特徴とする請求項１に記載のＲＦＩＤ付き無線通信端末。
【請求項１１】
前記ＲＦＩＤモジュールは、前記送信対象データの条件を指定する情報を前記外部端末から取得した場合には前記送信対象データに前記条件に合致したものがあるか否か判定し、前記条件に合致した前記送信データがあると判定した場合には前記無線通信設定情報を無線送信する
ことを特徴とする請求項１に記載のＲＦＩＤ付き無線通信端末。
【請求項１２】
前記電源部は、前記ＲＦＩＤモジュールには電源を供給しない
ことを特徴とする請求項１に記載のＲＦＩＤ付き無線通信端末。
【請求項１３】
ＲＦＩＤ付き無線通信端末と外部端末とを含む無線通信システムであって、
前記ＲＦＩＤ付き無線通信端末は、
前記外部端末とデータリンク層より上位層で無線通信を行う第１状態と、前記外部端末とデータリンク層より上位層で無線通信を行わないまたは前記外部端末とデータリンク層で無線通信するための電力が供給されない第２状態とのいずれかの状態で動作し、前記第１状態で動作する際には送信対象データを無線送信する無線通信モジュールと、
前記無線通信モジュールに電力を供給する電源部と、
前記電源部の電力供給制御を行う電源制御部と、
データリンク層より上位層のパラメータを前記無線通信モジュールに設定する制御を行う制御部と、
前記外部端末が前記無線通信モジュールと無線通信を行うために設定する無線通信設定情報と、前記送信対象データの有無を示すデータ有無情報とを記憶し、前記外部端末から前記無線通信設定情報の読み取り要求を検出するとともに、前記読み取り要求を検出した場合、前記読み取り要求に応じて、前記読み取り要求を送信した前記外部端末に対して前記無線通信設定情報を無線送信するＲＦＩＤモジュールと、
前記ＲＦＩＤモジュールが記憶している前記データ有無情報を更新するデータ更新部と、
を備え、
前記ＲＦＩＤモジュールは、前記無線通信モジュールが前記第２状態で動作しているときに、前記読み取り要求を検出した場合かつ前記送信対象データが有ることを示す前記送信対象データを記憶している場合には、前記無線通信モジュールの状態を前記第２状態から前記第１状態に遷移させる信号を前記制御部または前記電源制御部の何れかに出力し、
前記外部端末は、
ＲＦＩＤモジュールに対して前記読み取り要求を送信し、前記読み取り要求に応じて送信された前記無線通信設定情報を受信するタグ読み取り部と、
前記タグ読み取り部が受信した前記無線通信設定情報を用いて前記無線通信モジュールと無線通信を行う端末無線通信モジュールと、
を備えることを特徴とする無線通信システム。
【請求項１４】
外部端末とデータリンク層より上位層で無線通信を行う第１状態と、前記外部端末とデータリンク層より上位層で無線通信を行わないまたは前記外部端末とデータリンク層で無線通信するための電力が供給されない第２状態とのいずれかの状態で動作する無線通信モジュールが、前記第１状態で動作する際には送信対象データを無線送信する無線通信ステップと、
前記無線通信モジュールに電力を供給する電源部の電力供給制御を行う電源制御ステップと、
データリンク層より上位層のパラメータを前記無線通信モジュールに設定する制御を行う制御ステップと、
前記外部端末が前記無線通信モジュールと無線通信を行うために設定する無線通信設定情報と、前記送信対象データの有無を示すデータ有無情報とを記憶するＲＦＩＤモジュールが、前記外部端末から送信される前記無線通信設定情報の読み取り要求を検出するとともに、前記読み取り要求を検出した場合、前記読み取り要求に応じて、前記読み取り要求を送信した前記外部端末に対して前記無線通信設定情報を無線送信するステップと、
前記ＲＦＩＤモジュールが、前記無線通信モジュールが前記第２状態で動作しているときに、前記読み取り要求を検出した場合かつ前記送信対象データが有ることを示す前記送信対象データを記憶している場合には、前記無線通信モジュールの状態を前記第２状態から前記第１状態に遷移させる信号を前記制御部または前記電源制御部の何れかに出力するステップと、
を含むことを特徴とする無線通信方法。
【請求項１５】
外部端末とデータリンク層より上位層で無線通信を行う第１状態と、前記外部端末とデータリンク層より上位層で無線通信を行わないまたは前記外部端末とデータリンク層で無線通信するための電力が供給されない第２状態とのいずれかの状態で動作する無線通信モジュールが、前記第１状態で動作する際には送信対象データを無線送信する無線通信ステップと、
前記無線通信モジュールに電力を供給する電源部の電力供給制御を行う電源制御ステップと、
データリンク層より上位層のパラメータを前記無線通信モジュールに設定する制御を行う制御ステップと、
前記外部端末が前記無線通信モジュールと無線通信を行うために設定する無線通信設定情報と、前記送信対象データの有無を示すデータ有無情報とを記憶するＲＦＩＤモジュールが、前記外部端末から送信される前記無線通信設定情報の読み取り要求を検出するとともに、前記読み取り要求を検出した場合、前記読み取り要求に応じて、前記読み取り要求を送信した前記外部端末に対して前記無線通信設定情報を無線送信するステップと、
前記ＲＦＩＤモジュールが、前記無線通信モジュールが前記第２状態で動作しているときに、前記読み取り要求を検出した場合かつ前記送信対象データが有ることを示す前記送信対象データを記憶している場合には、前記無線通信モジュールの状態を前記第２状態から前記第１状態に遷移させる信号を前記制御部または前記電源制御部の何れかに出力するステップと、
をコンピュータに実行させるためのプログラム。
【発明の詳細な説明】
【技術分野】
【０００１】
本発明は、ＲＦＩＤ付き無線通信端末、無線通信システム、無線通信方法およびプログラムに関する。
【背景技術】
【０００２】
無線機能付きカメラ等の無線通信端末に保存された画像データを、スマートフォン等の外部端末に転送する方法として、ＮＦＣ（Ｎｅａｒ  Ｆｉｅｌｄ  Ｃｏｍｍｕｎｉｃａｔｉｏｎ）を利用した方法が知られている。
【０００３】
例えば、無線通信端末は、外部端末が無線通信端末と通信するために必要な無線設定情報等を記憶している電子タグ（タグ）を備えている。また、外部端末は、タグの内容を読み取るタグリーダを備えており、タグリーダを用いてタグを読み取ることによって、無線通信端末の無線設定情報を取得する。また、外部端末は、取得した通信設定情報を用いて無線通信端末と無線接続を行い、画像データの送受信を行う。
【０００４】
一般的に、無線通信端末と外部端末とで無線接続を行う場合、両端末の電源はユーザの操作によりＯＮされる。また、外部端末の代表例として常に電源ＯＮされているスマートフォンがあるが、画像データを転送する際に、無線通信端末側の電源もユーザがＯＮ／ＯＦＦするのは煩雑である。
【０００５】
また、通信装置が近接したことを検知して電源をＯＮする技術が知られている（例えば、特許文献１参照）。特許文献１に記載されている技術は、外部デバイスからの接続要求を待つ「待ち受け状態」において第１の消費電力を消費する近接無線通信デバイスと、前記第１の消費電力よりも低い第２の消費電力で動作し、前記近接無線通信デバイスと前記外部デバイスとが近接状態にあることを検出する接近検出部と、前記接近検出部が前記近接状態を検出した場合、前記近接無線通信デバイスを起動して省電力状態又は電源オフ状態から前記待ち受け状態にし、前記接近検出部が前記近接状態の解除を検出した場合、前記近接無線通信デバイスを前記省電力状態又は前記電源オフ状態にするデバイス制御手段とを具備する構成となっている。
【先行技術文献】
【特許文献】
【０００６】
【特許文献１】特許第４５８５５８２号公報
【発明の概要】
【発明が解決しようとする課題】
【０００７】
しかしながら、特許文献１に記載の構成を無線通信端末に適用した場合、外部端末を近づけただけで、本来起動しなくてもよい無線通信端末が起動してしまい、無線通信端末の電力が無駄に消費されてしまう可能性がある。
【０００８】
そこで、本発明の幾つかの態様は、無線通信モジュールを不必要に起動せず、必要な場合のみ無線通信モジュールを起動するとともに、必要なデータを自動的に外部端末へ送信するＲＦＩＤ付き無線通信端末、無線通信システム、無線通信方法およびプログラムを提供する。
【課題を解決するための手段】
【０００９】
本発明の幾つかの態様は、外部端末とデータリンク層より上位層で無線通信を行う第１状態と、前記外部端末とデータリンク層より上位層で無線通信を行わないまたは前記外部端末とデータリンク層で無線通信するための電力が供給されない第２状態とのいずれかの状態で動作し、前記第１状態で動作する際には送信対象データを無線送信する無線通信モジュールと、前記無線通信モジュールに電力を供給する電源部と、前記電源部の電力供給制御を行う電源制御部と、データリンク層より上位層のパラメータを前記無線通信モジュールに設定する制御を行う制御部と、前記外部端末が前記無線通信モジュールと無線通信を行うために設定する無線通信設定情報と、前記送信対象データの有無を示すデータ有無情報とを記憶し、前記外部端末から送信される前記無線通信設定情報の読み取り要求を検出するとともに、前記読み取り要求を検出した場合、前記読み取り要求に応じて、前記読み取り要求を送信した前記外部端末に対して前記無線通信設定情報を無線送信するＲＦＩＤモジュールと、前記ＲＦＩＤモジュールが記憶している前記データ有無情報を更新するデータ更新部と、を備え、前記ＲＦＩＤモジュールは、前記無線通信モジュールが前記第２状態で動作しているときに、前記読み取り要求を検出した場合かつ前記送信対象データが有ることを示す前記送信対象データを記憶している場合には、前記無線通信モジュールの状態を前記第２状態から前記第１状態に遷移させる信号を前記制御部または前記電源制御部の何れかに出力することを特徴とするＲＦＩＤ付き無線通信端末である。
【００１０】
また、本発明の幾つかの態様は、ＲＦＩＤ付き無線通信端末と外部端末とを含む無線通信システムであって、前記ＲＦＩＤ付き無線通信端末は、前記外部端末とデータリンク層より上位層で無線通信を行う第１状態と、前記外部端末とデータリンク層より上位層で無線通信を行わないまたは前記外部端末とデータリンク層で無線通信するための電力が供給されない第２状態とのいずれかの状態で動作し、前記第１状態で動作する際には送信対象データを無線送信する無線通信モジュールと、前記無線通信モジュールに電力を供給する電源部と、前記電源部の電力供給制御を行う電源制御部と、データリンク層より上位層のパラメータを前記無線通信モジュールに設定する制御を行う制御部と、前記外部端末が前記無線通信モジュールと無線通信を行うために設定する無線通信設定情報と、前記送信対象データの有無を示すデータ有無情報とを記憶し、前記外部端末から前記無線通信設定情報の読み取り要求を検出するとともに、前記読み取り要求を検出した場合、前記読み取り要求に応じて、前記読み取り要求を送信した前記外部端末に対して前記無線通信設定情報を無線送信するＲＦＩＤモジュールと、前記ＲＦＩＤモジュールが記憶している前記データ有無情報を更新するデータ更新部と、を備え、前記ＲＦＩＤモジュールは、前記無線通信モジュールが前記第２状態で動作しているときに、前記読み取り要求を検出した場合かつ前記送信対象データが有ることを示す前記送信対象データを記憶している場合には、前記無線通信モジュールの状態を前記第２状態から前記第１状態に遷移させる信号を前記制御部または前記電源制御部の何れかに出力し、前記外部端末は、ＲＦＩＤモジュールに対して前記読み取り要求を送信し、前記読み取り要求に応じて送信された前記無線通信設定情報を受信するタグ読み取り部と、前記タグ読み取り部が受信した前記無線通信設定情報を用いて前記無線通信モジュールと無線通信を行う端末無線通信モジュールと、を備えることを特徴とする無線通信システムである。
【００１１】
また、本発明の幾つかの態様は、外部端末とデータリンク層より上位層で無線通信を行う第１状態と、前記外部端末とデータリンク層より上位層で無線通信を行わないまたは前記外部端末とデータリンク層で無線通信するための電力が供給されない第２状態とのいずれかの状態で動作する無線通信モジュールが、前記第１状態で動作する際には送信対象データを無線送信する無線通信ステップと、前記無線通信モジュールに電力を供給する電源部の電力供給制御を行う電源制御ステップと、データリンク層より上位層のパラメータを前記無線通信モジュールに設定する制御を行う制御ステップと、前記外部端末が前記無線通信モジュールと無線通信を行うために設定する無線通信設定情報と、前記送信対象データの有無を示すデータ有無情報とを記憶するＲＦＩＤモジュールが、前記外部端末から送信される前記無線通信設定情報の読み取り要求を検出するとともに、前記読み取り要求を検出した場合、前記読み取り要求に応じて、前記読み取り要求を送信した前記外部端末に対して前記無線通信設定情報を無線送信するステップと、前記ＲＦＩＤモジュールが、前記無線通信モジュールが前記第２状態で動作しているときに、前記読み取り要求を検出した場合かつ前記送信対象データが有ることを示す前記送信対象データを記憶している場合には、前記無線通信モジュールの状態を前記第２状態から前記第１状態に遷移させる信号を前記制御部または前記電源制御部の何れかに出力するステップと、を含むことを特徴とする無線通信方法である。
【００１２】
また、本発明の幾つかの態様は、外部端末とデータリンク層より上位層で無線通信を行う第１状態と、前記外部端末とデータリンク層より上位層で無線通信を行わないまたは前記外部端末とデータリンク層で無線通信するための電力が供給されない第２状態とのいずれかの状態で動作する無線通信モジュールが、前記第１状態で動作する際には送信対象データを無線送信する無線通信ステップと、前記無線通信モジュールに電力を供給する電源部の電力供給制御を行う電源制御ステップと、データリンク層より上位層のパラメータを前記無線通信モジュールに設定する制御を行う制御ステップと、前記外部端末が前記無線通信モジュールと無線通信を行うために設定する無線通信設定情報と、前記送信対象データの有無を示すデータ有無情報とを記憶するＲＦＩＤモジュールが、前記外部端末から送信される前記無線通信設定情報の読み取り要求を検出するとともに、前記読み取り要求を検出した場合、前記読み取り要求に応じて、前記読み取り要求を送信した前記外部端末に対して前記無線通信設定情報を無線送信するステップと、前記ＲＦＩＤモジュールが、前記無線通信モジュールが前記第２状態で動作しているときに、前記読み取り要求を検出した場合かつ前記送信対象データが有ることを示す前記送信対象データを記憶している場合には、前記無線通信モジュールの状態を前記第２状態から前記第１状態に遷移させる信号を前記制御部または前記電源制御部の何れかに出力するステップと、をコンピュータに実行させるためのプログラムである。
【発明の効果】
【００１３】
本発明によれば、無線通信モジュールを不必要に起動せず、必要な場合のみ無線通信モジュールを起動するとともに、必要なデータを自動的に外部端末へ送信することができる。
【図面の簡単な説明】
【００１４】
【図１】本発明の第１の実施の形態における無線通信システムの構成を示した概略図である。
【図２】本発明の第１の実施の形態における無線通信端末の最小構成を示したブロック図である。
【図３】本発明の第１の実施の形態における無線通信端末の詳細構成を示したブロック図である。
【図４】本発明の第１の実施の形態における外部端末の構成を示したブロック図である。
【図５】本発明の第１の実施の形態における通信設定情報とデータ有無情報とのデータ構造を示した概略図である。
【図６】本発明の第１の実施の形態におけるＲＦＩＤモジュールが送信するデータのデータ構造を示した概略図である。
【図７】本発明の第１の実施の形態において、無線通信端末と外部端末とがデータの送受信を行う際の外部端末の動作手順を示したフローチャートである。
【図８】本発明の第１の実施の形態において、無線通信端末と外部端末とがデータの送受信を行う際の無線通信端末の動作手順を示したフローチャートである。
【図９】本発明の第２の実施の形態における通信設定情報と送信対象データリストとのデータ構造を示した概略図である。
【図１０】本発明の第２の実施の形態において、無線通信端末と外部端末とがデータの送受信を行う際の外部端末の動作手順を示したフローチャートである。
【図１１】本発明の第２の実施の形態において、無線通信端末と外部端末とがデータの送受信を行う際の無線通信端末の動作手順を示したフローチャートである。
【図１２】本発明の第３の実施の形態における通信設定情報と送信対象データリストとのデータ構造を示した概略図である。
【図１３】本発明の第３の実施の形態において、無線通信端末と外部端末とがデータの送受信を行う際の外部端末の動作手順を示したフローチャートである。
【図１４】本発明の第３の実施の形態において、無線通信端末と外部端末とがデータの送受信を行う際の無線通信端末の動作手順を示したフローチャートである。
【図１５】本発明の第３の実施の形態において、制御部がデータ有無情報生成部を備える無線通信端末の構成を示したブロック図である。
【図１６】本発明の第３の実施の形態において、ＲＦＩＤ用電源を備える無線通信端末の構成を示したブロック図である。
【図１７】本発明の第４の実施の形態における無線通信端末の構成を示したブロック図である。
【図１８】本発明の第４の実施の形態において、無線通信端末と外部端末とがデータの送受信を行う際の無線通信端末の動作手順を示したフローチャートである。
【図１９】本発明の第５の実施の形態における無線通信端末の構成を示したブロック図である。
【図２０】本発明の第５の実施の形態において、無線通信端末と外部端末とがデータの送受信を行う際の無線通信端末の動作手順を示したフローチャートである。
【発明を実施するための形態】
【００１５】
（第１の実施の形態）
以下、本発明の第１の実施形態について図を参照しながら説明する。図１は、本実施形態における無線通信システムの構成を示した概略図である。無線通信システム１は、無線通信端末１０と外部端末２０とを含んでいる。無線通信端末１０は、例えば、無線通信機能を有するデジタルカメラであり、画像などのデータを外部端末２０に対して送信する。外部端末２０は、例えばスマートフォンであり、無線通信端末１０から画像などのデータを受信する。
【００１６】
次に、無線通信端末１０の構成について説明する。図２は、本実施形態における無線通信端末１０の最小構成を示したブロック図である。図示する例では、無線通信端末１０は、無線通信モジュール１１と、ＲＦＩＤ（Ｒａｄｉｏ  Ｆｒｅｑｕｅｎｃｙ  Ｉｄｅｎｔｉｆｉｃａｔｉｏｎ）モジュール１２と、制御部１３と、データ更新部１４と、電源部１５と、電源制御部１６とを備えている。本発明を表現するにあたり必須となる構成は、無線通信モジュール１１と、ＲＦＩＤモジュール１２と、制御部１３と、データ更新部１４と、電源部１５と、電源制御部１６とである。
【００１７】
無線通信モジュール１１は、例えば無線ＬＡＮを用いて画像等のデータの送受信を行う。本実施例では、無線ＬＡＮの一例として、ＩＥＥＥ８０２．１１を想定する。ＲＦＩＤモジュール１２は、外部端末２０が設定すべき通信設定情報と、外部端末への送信対象データがあるか否かを示す送信データ有無情報とを記憶している。また、ＲＦＩＤモジュール１２は、ＲＦＩＤを用いて、記憶している通信設定情報と送信データ有無情報とを外部端末２０に対して送信する。本実施形態では、ＲＦＩＤモジュール１２が通信に用いる周波数を１３．５６ＭＨｚと仮定する。
【００１８】
制御部１３は、無線通信モジュール１１に設定する（ＯＳＩ参照モデル（ＩＳＯ  ７４９８として規格化されたモデル）における）データリンク層より上位層のパラメータ（例えば、ＩＰアドレスやセキュリティ設定等）を設定する。無線通信モジュール１１は、制御部１３によって設定されたパラメータに基づいて、データリンク層でパケット処理を行う。データ更新部１４は、ＲＦＩＤモジュール１２が記憶している通信設定情報と送信データ有無情報とを更新する。
【００１９】
電源部１５は、無線通信端末１０が備える各部に電力を供給する。電源制御部１６は、電源部１５を制御し、電力の供給先を制御する。具体的には、電源制御部１６は、電源部１５が備えるバッテリー等の電圧値を取得して制御部１３に通知するとともに、バッテリー電圧や各電源ＩＣの電圧に応じて、電源ＩＣごとにイネーブル／ディセーブル制御を行う。また、電源制御部１６は、ＲＦＩＤモジュール１２のタグ制御部１２１（図３）からの起動信号やユーザ操作により、無線通信端末１０の各ブロックへの電力供給／遮断を制御する。
【００２０】
つまり、無線通信モジュール１１の動作状態は、無線でデータ通信可能なアクティブ状態（第１状態）と無線通信不可のスタンバイ状態（第２状態）とがある。スタンバイ状態とは、無線通信モジュール１１の電気回路に全く電力を供給せずクロックも停止する完全なＯＦＦの状態、または、無線通信モジュール１１に電源供給されているが、第１状態より低速のクロックで動作し、無線通信端末１０の制御部１３からの起動信号を受信した場合に第１状態に遷移可能なスリープ状態を示す。このスリープ状態においては、無線通信モジュール１１はビーコン信号などの電波を出力しない。無線通信モジュール１１は、無線通信端末１０の制御部１３からの起動信号により、スタンバイ状態からアクティブ状態に切り替わる。
【００２１】
なお、無線通信モジュール１１に電源が供給されており、ビーコン出力間隔が第１状態より長い場合、出力したビーコンに対する接続要求を無線モジュールが受信したとしても、ＯＳＩ参照モデル（ＩＳＯ  ７４９８として規格化されたモデル）におけるデータリンク層（ＭＡＣ等）より上位のレベルで接続要求に対して応答しない状態を第２状態としてもよい。第１状態は、ＯＳＩ参照モデルにおけるネットワーク層（ＩＰ等）からアプリケーション層（ＨＴＴＰ等）のレベルでデータ通信可能な状態としてもよい。
【００２２】
また、無線通信モジュール１１が第１状態にあるときに、ＲＦＩＤモジュール１２からの起動信号を電源制御部１６が受け取った場合、電源制御部１６は無線通信モジュール１１を第１状態で保持するよう制御する。すなわち、電源制御部１６は、無線通信モジュール１１用電源ＩＣをイネーブルの状態として保持し、ディセーブルにしない。また、制御部１３は、無線通信モジュール１１が第１状態にある場合、ＲＦＩＤモジュール１２からの起動信号に関わらず第１状態を保持し、第２状態に遷移させない。
【００２３】
次に、無線通信端末１０の詳細な構成について説明する。図３は、本実施形態における無線通信端末１０の詳細構成を示したブロック図である。図示する例では、無線通信端末１０は、無線通信モジュール１１と、ＲＦＩＤモジュール１２と、制御部１３と、データ更新部１４と、電源部１５と、電源制御部１６と、記憶部１７とを備えている。無線通信モジュール１１と、ＲＦＩＤモジュール１２と、制御部１３と、データ更新部１４と、電源部１５と、電源制御部１６とは上述したとおりである。
【００２４】
無線通信モジュール１１は、通信制御部１１１と無線部１１２とを備えている。通信制御部１１１は、無線部１１２から入力される、または無線部１１２に出力するデジタル信号の送受信パケットの分割・再構成を行うとともに、制御部１３を介して記憶部１７に対してデータの読み書きを行う。無線部１１２は、ＲＦＩＤモジュール１２で使用する電波とは異なる周波数の電波を送受信するアンテナを含む高周波部であり、通信制御部１１１との間でデジタル信号を送受信するインターフェースを含む。
【００２５】
ＲＦＩＤモジュール１２は、タグ制御部１２１と、タグ記憶部１２２と、タグアンテナ部１２３とを備えている。タグ制御部１２１は、タグアンテナ部１２３で発生した起電力に基づいて動作し、送信信号または応答信号を、タグアンテナ部１２３を介して外部端末２０へ送信する。送信方法としては、タグ制御部１２１は、タグ記憶部１２２に記憶されたデータを所定の変調方式（例えば、抵抗値を変化させることでアンテナに流れる電流を変化させ、タグアンテナから発生する磁界の強弱を変えるＡＳＫ）で変調し、外部端末２０に対して送信する。
【００２６】
また、タグ制御部１２１は、読取要求検出部１２１１を備えている。読取要求検出部１２１１は、外部端末２０からデータを受信し、タグ記憶部１２２に記憶された通信設定情報が読み出されたことを検出し、タグ記憶部１２２に送信対象データがあれば、無線通信端末１０の電源制御部１６または制御部１３に対して起動信号を出力する。例えば、電源制御部１６にタグ制御部１２１１から起動信号が入力された場合には、電源制御部１６は制御部１３に電力供給を行い、制御部１３は無線通信モジュール１１をアクティブにする。また、制御部１３に起動信号が入力された場合には、制御部１３は、無線通信モジュール１１をアクティブにする。
【００２７】
タグ記憶部１２２は、通信設定情報と送信データ有無情報を記憶する。タグアンテナ部１２３は、外部端末２０が発生する高周波磁界（例えば１３．５６ＭＨｚ）を受信することで、電磁誘導によって起電力を発生させる。また、タグ制御部１２１で生成された応答信号やデータ信号を外部端末２０に対して送信する。
【００２８】
電源部１５は、バッテリー部１５１と、複数のＤＣ／ＤＣコンバータ１５２とを備えている。バッテリー部１５１は、例えば充電池であり、蓄積した電力を供給する。各ＤＣ／ＤＣコンバータ１５２は、電源制御部１６からの制御信号に基づいて、各ブロックへ電力を供給・遮断する。記憶部１７は、無線通信端末１０を動作させるプログラムを記憶する。また、記憶部１７は、例えば画像データなど、外部端末２０に対して送信するデータである送信対象データを記憶する。また、記憶部１７は、制御部１３からの指示によってデータの読み書きを行う。
【００２９】
次に、外部端末２０の構成について説明する。図４は、本実施形態における外部端末２０の構成を示したブロック図である。図示する例では、外部端末２０は、端末無線通信モジュール２１と、タグ読み取り部２２と、端末制御部２３とを備えている。端末無線通信モジュール２１は、例えば無線ＬＡＮを用いて画像等のデータの送受信を行う。タグ読み取り部２２は、無線通信端末１０のＲＦＩＤモジュール１２から、通信設定情報と送信データ有無情報とを受信する。端末制御部２３は、タグ読み取り部２２が無線通信端末１０から受信した通信設定情報を端末無線通信モジュール２１に設定する。
【００３０】
次に、通信設定情報とデータ有無情報とについて説明する。図５は、本実施形態における通信設定情報とデータ有無情報とのデータ構造を示した概略図である。本実施形態では、ＲＦＩＤモジュール１２のタグ記憶部１２２は、通信設定情報とデータ有無情報とを記憶している。通信設定情報は、データ項目「ＭＡＣアドレス」と、データ項目「通信ＣＨ」と、データ項目「ＩＰアドレス」と、データ項目「セキュリティ」と、データ項目「ＳＳＩＤ」と、データ項目「サブネットマスク」と、データ項目「デフォルトゲートウェイ」とを含んでいる。データ有無情報は、データ項目「データ」を含んでいる。
【００３１】
データ項目「ＭＡＣアドレス」は、無線通信モジュール１１のＭＡＣアドレスを記憶する。データ項目「通信ＣＨ」は、無線通信モジュール１１が使用するチャネル（周波数でもよい）を記憶する。データ項目「ＩＰアドレス」は、無線通信モジュール１１のＩＰアドレスを記憶する。データ項目「セキュリティ」は、無線通信モジュール１１が用いるセキュリティの名称を記憶する。また、無線通信モジュール１１が用いるセキュリティで鍵を用いる場合には、データ項目「セキュリティ」は鍵も記憶する。
【００３２】
データ項目「ＳＳＩＤ」は、無線通信モジュール１１のＳＳＩＤ（サービスセット識別子）を記憶する。データ項目「サブネットマスク」は、無線通信モジュール１１が使用するＩＰアドレスのサブネットマスクを記憶する。データ項目「デフォルトゲートウェイ」は、無線通信モジュール１１のデフォルトゲートウェイを記憶する。データ項目「データ」は、送信対象データの有無を示すデータを記憶する。本実施形態では送信対象データが有ることを示すデータを「１」とし、送信対象データが無いことを示すデータを「０」とする。なお、データ項目「データ」が「０」から「１」に更新されるタイミングは、無線通信端末１０の記憶部１７に新しく画像データが記憶されたとき等に更新される。詳細は後述する。
【００３３】
図示する例では、データ項目「ＭＡＣアドレス」には「ＡＡ：ＢＢ：ＣＣ：ＤＤ：ＦＦ：００：１１」が記憶されている。また、データ項目「通信ＣＨ」には「６」が記憶されている。また、データ項目「ＩＰアドレス」には「１９２．１６８．１２３．４５」が記憶されている。また、データ項目「セキュリティ」には「Ｍｏｄｅ＝ＷＰＡ２  Ｋｅｙ＝１２３４５ＡＢＣＤＥ」が記憶されている。また、データ項目「ＳＳＩＤ」には「ＸＹＺ０１２３」が記憶されている。また、データ項目「サブネットマスク」には「２５５．２５５．２５５．０」が記憶されている。また、データ項目「デフォルトゲートウェイ」には「１９２．１６８．１２３．４５」が記憶されている。また、データ項目「データ」には「１」が記憶されている。
【００３４】
上述した記憶内容より、図５に示した通信設定情報は、無線通信モジュール１１のＭＡＣアドレスは「ＡＡ：ＢＢ：ＣＣ：ＤＤ：ＦＦ：００：１１」であることを示している。また、無線通信モジュール１１が通信に用いるチャネルは「６」であることを示している。また、無線通信モジュール１１のＩＰアドレスは「１９２．１６８．１２３．４５」であることを示している。また、無線通信モジュール１１は、セキュリティとして「ＷＰＡ２」を用い、Ｋｅｙは「１２３４５ＡＢＣＤＥ」であることを示している。
【００３５】
また、無線通信モジュール１１のＳＳＩＤは「ＸＹＺ０１２３」であることを示している。また、無線通信モジュール１１のサブネットマスクは「２５５．２５５．２５５．０」であることを示している。また、無線通信モジュール１１のデフォルトゲートウェイは「１９２．１６８．１２３．４５」であることを示している。また、無線通信端末１０から外部端末２０に対して送信する送信対象データが有ることを示している。
【００３６】
次に、ＲＦＩＤモジュール１２が送信するデータのデータ構造について説明する。図６は、本実施形態におけるＲＦＩＤモジュール１２が送信するデータのデータ構造を示した概略図である。図示する例では、ＲＦＩＤモジュール１２が送信するデータは、ヘッダと、送信データと、ＣＲＣとの領域を含んでいる。ヘッダは、ＲＦＩＤモジュール１２が送信するデータ自体に関する情報（プリアンブル含む）を送信する領域である。送信データは、データ長と、通信設定情報と、送信データ有無情報とを送信する領域である。データ長は、送信データのデータ長を示す情報である。通信設定情報および送信データ有無情報は、図５を用いて説明した通りである。ＣＲＣは、ＣＲＣ（巡回冗長検査）に用いるデータを送信する領域である。なお、送信データ有無情報を送信する領域には、各送信対象データリスト（たとえば後述の図９）の情報も入れることができる。
【００３７】
次に、無線通信端末１０と外部端末２０とがデータの送受信を行う際の動作手順について説明する。図７は、本実施形態において、無線通信端末１０と外部端末２０とがデータの送受信を行う際の外部端末２０の動作手順を示したフローチャートである。
【００３８】
（ステップＳ１０１）ユーザは、無線通信端末１０と外部端末２０との間でデータの送受信を行う場合には、外部端末２０の電源スイッチをＯＮにする。ユーザにより電源スイッチがＯＮにされると、外部端末２０の端末電源部２４は、外部端末２０が備える各部に電力の供給を開始する。その後、ステップＳ１０２の処理に進む。
【００３９】
（ステップＳ１０２）端末制御部２３は、無線通信端末１０から通信設定情報を取得するため、端末記憶部２５が記憶しているタグ読み取り用のアプリケーションを起動する。その後、ステップＳ１０３の処理に進む。
【００４０】
（ステップＳ１０３）ユーザは、無線通信端末１０のタグアンテナ部１２３に外部端末２０のタグ読み取り部２２を近接させる。タグ読み取り部２２は、タグアンテナ部１２３と近距離無線通信を行い、タグ記憶部１２２が記憶しているデータを受信する。その後、ステップＳ１０４の処理に進む。
【００４１】
（ステップＳ１０４）端末制御部２３は、ステップＳ１０３の処理で受信したデータから通信設定情報を取得する。その後、ステップＳ１０５の処理に進む。
（ステップＳ１０５）端末制御部２３は、ステップＳ１０３の処理で受信したデータからデータ有無情報を取得する。その後、ステップＳ１０６の処理に進む。
【００４２】
（ステップＳ１０６）無線通信端末１０の無線通信モジュール１１は、アクティブである場合にはビーコン信号を送信する。端末無線通信モジュール２１は、無線通信端末１０の無線通信モジュール１１からビーコンが送信された場合、ビーコン信号を受信する。端末制御部２３は、端末無線通信モジュール２１がビーコン信号を受信したか否かを判定する。端末無線通信モジュール２１はビーコン信号を受信したと端末制御部２３が判定した場合にはステップＳ１０８の処理に進み、それ以外の場合にはステップＳ１０７の処理に進む。
【００４３】
（ステップＳ１０７）端末制御部２３は、タイムアウト（ステップＳ１０５の処理を終了してから所定時間経過した）か否かを判定する。タイムアウトと端末制御部２３が判定した場合には処理を終了し、それ以外の場合にはステップＳ１０６の処理に戻る。
【００４４】
（ステップＳ１０８）端末無線通信モジュール２１は、ステップＳ１０５の処理で取得した通信設定情報に基づいて、無線通信端末１０の無線通信モジュール１１に対して接続要求信号を送信する。その後、ステップＳ１０９の処理に進む。
【００４５】
（ステップＳ１０９）端末無線通信モジュール２１は、無線通信端末１０の無線通信モジュール１１と無線接続を確立する。その後、ステップＳ１１０の処理に進む。
（ステップＳ１１０）端末無線通信モジュール２１は、無線通信端末１０の無線通信モジュール１１に対して、送信対象データを要求する送信要求メッセージを送信する。その後、ステップＳ１１１の処理に進む。
【００４６】
（ステップＳ１１１）無線通信端末１０の無線通信モジュール１１は、送信要求メッセージを受信した場合、送信要求メッセージの送信元の端末無線通信モジュール２１に対して送信対象データを送信する。端末制御部２３は、無線通信端末１０の無線通信モジュール１１から送信された送信対象データを端末無線通信モジュール２１が受信したか否かを判定する。送信対象データを受信したと端末制御部２３が判定した場合にはステップＳ１１３の処理に進み、それ以外の場合にはステップＳ１１２の処理に進む。
【００４７】
（ステップＳ１１２）端末制御部２３は、タイムアウト（ステップＳ１１０の処理を終了してから所定時間経過した）か否かを判定する。タイムアウトと端末制御部２３が判定した場合には処理を終了し、それ以外の場合にはステップＳ１１１の処理に戻る。
【００４８】
（ステップＳ１１３）端末無線通信モジュール２１は、無線通信端末１０の無線通信モジュール１１から送信された送信対象データを受信する。その後、ステップＳ１１４の処理に進む。
（ステップＳ１１４）端末制御部２３は、端末無線通信モジュール２１が送信対象データの受信を完了したか否かを判定する。送信対象データの受信を完了したと端末制御部２３が判定した場合には処理を終了し、それ以外の場合にはステップＳ１１３の処理に戻る。
【００４９】
図８は、本実施形態において、無線通信端末１０と外部端末２０とがデータの送受信を行う際の無線通信端末１０の動作手順を示したフローチャートである。
（ステップＳ２０１）外部端末２０からＲＦＩＤモジュール１２の読み取りのための高周波磁界をタグアンテナ部１２３が受信した場合、タグアンテナ部１２３に発生した起電力によりタグ制御部１２１が駆動され、読取要求検出部１２１１がＲＦＩＤモジュール１２の読み取り検出を行う。制御部１３は、読取要求検出部１２１１が読み取り検出を行ったか否かを判定する。読み取り検出を行ったと制御部１３が判定した場合にはステップＳ２０２の処理に進み、それ以外の場合にはステップＳ２０１の処理に戻る。
【００５０】
（ステップＳ２０２）タグ制御部１２１は、タグ記憶部１２２が記憶するデータ有無情報を読み出し、送信対象データが有るか否かを判定する。送信対象データが有るとタグ制御部１２１が判定した場合にはステップＳ２０４の処理に進み、それ以外の場合にはステップＳ２０３の処理に進む。
【００５１】
（ステップＳ２０３）制御部１３は、無線通信モジュール１１がアクティブ（第１状態）であるか否かを判定する。アクティブであると制御部１３が判定した場合にはステップＳ２０７の処理に進み、それ以外の場合にはステップＳ２０１の処理に戻る。
【００５２】
（ステップＳ２０４）ＲＦＩＤモジュール１２は、タグ記憶部１２２が記憶している通信設定情報とデータ有無情報とを含んだデータを外部端末２０のタグ読み取り部２２に対して送信する。その後、ステップＳ２０５の処理に進む。
（ステップＳ２０５）タグ制御部１２１は、電源制御部１６に対して、無線通信モジュール１１への電力の供給を指示する起動信号を出力する。その後、ステップＳ２０６の処理に進む。
【００５３】
（ステップＳ２０６）電源制御部１６は、ステップＳ２０５の処理で起動信号が入力されたため、電源部１５を制御し、無線通信モジュール１１に電力の供給を開始する。無線通信モジュール１１は、電力の供給によりアクティブ（第１状態）となる。その後、ステップＳ２０７の処理に進む。
【００５４】
（ステップＳ２０７）無線通信モジュール１１は、アクティブとなったため、ビーコン信号を送信する。その後、ステップＳ２０８の処理に進む。
【００５５】
（ステップＳ２０８）外部端末２０の端末無線通信モジュール２１は、無線通信端末１０と無線通信を行う場合には、無線通信端末１０の無線通信モジュール１１に対して接続要求信号を送信する。無線通信モジュール１１は、接続要求信号が送信された場合には受信する。制御部１３は、無線通信モジュール１１が接続要求信号を受信したか否かを判定する。接続要求信号を受信したと制御部１３が判定した場合にはステップＳ２１０の処理に進み、それ以外の場合にはステップＳ２０９の処理に進む。
【００５６】
（ステップＳ２０９）制御部１３は、タイムアウト（ステップＳ２０７の処理を終了してから所定時間経過した）か否かを判定する。タイムアウトと制御部１３が判定した場合にはステップＳ２０１の処理に戻り、それ以外の場合にはステップＳ２０８の処理に戻る。
【００５７】
（ステップＳ２１０）無線通信モジュール１１は、ステップＳ２０８の処理で受信した接続要求信号に基づいて、外部端末２０の端末無線通信モジュール２１と無線接続を確立する。その後、ステップＳ２１１の処理に進む。
【００５８】
（ステップＳ２１１）外部端末２０の端末無線通信モジュール２１は、無線通信端末１０に対して送信対象データの送信要求を行う場合には、無線通信端末１０の無線通信モジュール１１に対して送信要求メッセージを送信する。無線通信モジュール１１は、送信要求メッセージが送信された場合には受信する。制御部１３は、無線通信モジュール１１が送信要求メッセージを受信したか否かを判定する。送信要求メッセージを受信したと制御部１３が判定した場合にはステップＳ２１４の処理に進み、それ以外の場合にはステップＳ２１２の処理に進む。
【００５９】
（ステップＳ２１２）制御部１３は、タイムアウト（ステップＳ２１０の処理を終了してから所定時間経過した）か否かを判定する。タイムアウトと制御部１３が判定した場合にはステップＳ２１３の処理に進み、それ以外の場合にはステップＳ２１１の処理に戻る。
【００６０】
（ステップＳ２１３）制御部１３は、無線通信モジュール１１と外部端末２０の端末無線通信モジュール２１との通信接続を切断させる。また、制御部１３は、電源制御部１６に対して、無線通信モジュール１１への電力供給の停止を指示する停止信号を出力する。電源制御部１６は、停止信号が入力されたため、電源部１５を制御し、無線通信モジュール１１への電力の供給を停止する。無線通信モジュール１１は、電力の供給が停止したことによりスタンバイ（第２状態）となる。その後、ステップＳ２０１の処理に戻る。
【００６１】
（ステップＳ２１４）制御部１３は、記憶部１７が記憶している送信対象データを抽出する。その後、ステップＳ２１５の処理に進む。
（ステップＳ２１５）無線通信モジュール１１は、ステップＳ２１４の処理で制御部１３が抽出した送信対象データを、外部端末２０の端末無線通信モジュール２１に対して送信する。その後、ステップＳ２１６の処理に進む。
【００６２】
（ステップＳ２１６）制御部１３は、無線通信モジュール１１が送信対象データの送信を完了したか否かを判定する。送信対象データの送信を完了したと制御部１３が判定した場合にはステップＳ２１７の処理に進み、それ以外の場合にはステップＳ２１５の処理に戻る。
【００６３】
（ステップＳ２１７）制御部１３は、無線通信モジュール１１と外部端末２０の端末無線通信モジュール２１との通信接続を切断させる。また、制御部１３は、電源制御部１６に対して、無線通信モジュール１１への電力供給の停止を指示する停止信号を出力する。電源制御部１６は、停止信号が入力されたため、電源部１５を制御し、無線通信モジュール１１への電力の供給を停止する。無線通信モジュール１１は、電力の供給が停止したことによりスタンバイ（第２状態）となる。その後、ステップＳ２１８の処理に進む。
【００６４】
（ステップＳ２１８）データ更新部１４は、ステップＳ２１５の処理で送信対象データを全て送信したため、タグ記憶部１２２が記憶するデータ有無情報のデータ項目「データ」の値を「０」（送信対象データ無し）に更新する。その後、ステップＳ２０１の処理に戻る。
【００６５】
上述した処理により、本実施形態によれば、外部端末２０のタグ読み取り部２２が、無線通信端末１０のＲＦＩＤモジュール１２から情報を読み取るだけで、無線通信モジュール１１を必要な場合のみ自動的にアクティブにし、必要なデータを自動的に送信することができる。また、データの送信後には無線通信モジュール１１は自動的にスタンバイに戻るため、外部端末２０を操作するユーザは、無線通信端末１０を一切操作することなく、所望のデータを取得することができる。
【００６６】
また、上述した処理により、本実施形態によれば、外部端末２０のタグ読み取り部２２が、無線通信端末１０のＲＦＩＤモジュール１２から情報を読み取った場合においても、送信対象データがない場合には無線通信モジュール１１が起動しないため、無駄な電力消費を回避することができる。
【００６７】
（第２の実施形態）
次に、本発明の第２の実施形態について説明する。本実施形態と第１の実施形態とで異なる点は、データ有無情報ではなく送信対象データの一覧を示す送信対象データリストを用いる点である。なお、無線通信システム１と、無線通信端末１０と、外部端末２０との構成は、第１の実施形態における各構成と同様である。
【００６８】
図９は、本実施形態における通信設定情報と送信対象データリストとのデータ構造を示した概略図である。本実施形態では、ＲＦＩＤモジュール１２のタグ記憶部１２２は、通信設定情報と送信対象データリストとを関連付けて記憶している。通信設定情報は、第１の実施形態と同様である。
【００６９】
送信対象データリストは、対象デバイス毎に、データ項目「ＭＡＣアドレス」と、データ項目「データ」と、データ項目「アクセスパス」とを含んでいる。データ項目「ＭＡＣアドレス」は、外部端末２０の端末無線通信モジュール２１のＭＡＣアドレスを記憶する。データ項目「データ」は、送信対象データの有無を示すデータを記憶する。本実施形態では送信対象データが有ることを示すデータを「１」とし、送信対象データが無いことを示すデータを「０」とする。データ項目「アクセスパス」は、無線通信端末１０の記憶部１７が記憶している送信対象データのアクセスパスを記憶する。
【００７０】
図示する例では、１つめの対象デバイスのデータ項目「ＭＡＣアドレス」には「０１：２３：４５：６７：８９：ＡＢ」が記憶されている。また、１つめの対象デバイスのデータ項目「データ」には「１」が記憶されている。また、１つめの対象デバイスのデータ項目「アクセスパス」には「￥ＤＣＩＭ￥．．￥ＡＢＣ０００１．ＪＰＧ」と、「￥ＤＣＩＭ￥．．￥ＡＢＣ０００８．ＪＰＧ」と、「￥ＤＣＩＭ￥．．￥ＡＢＣ００１１．ＪＰＧ」と、「￥ＤＣＩＭ￥．．￥ＡＢＣ００１２．ＪＰＧ」とが記憶されている。
【００７１】
上述した記憶内容より、図９に示した送信対象データリストのうち１つめの対象デバイスは、ＭＡＣアドレス「０１：２３：４５：６７：８９：ＡＢ」で特定される外部端末２０に対しては、送信対象データが有り、送信対象データのアクセスパスは「￥ＤＣＩＭ￥．．￥ＡＢＣ０００１．ＪＰＧ」と、「￥ＤＣＩＭ￥．．￥ＡＢＣ０００８．ＪＰＧ」と、「￥ＤＣＩＭ￥．．￥ＡＢＣ００１１．ＪＰＧ」と、「￥ＤＣＩＭ￥．．￥ＡＢＣ００１２．ＪＰＧ」とであることを示している。
【００７２】
また、図示する例では、２つめの対象デバイスのデータ項目「ＭＡＣアドレス」には「９８：７６：５４：ＤＤ：ＦＦ：００：１１」が記憶されている。また、１つめの対象デバイスのデータ項目「データ」には「０」が記憶されている。上述した記憶内容より、図９に示した送信対象データリストのうち２つめの対象デバイスは、ＭＡＣアドレス「９８：７６：５４：ＤＤ：ＦＦ：００：１１」で特定される外部端末２０に対しては、送信対象データが無いことを示している。
【００７３】
また、図示する例では、３つめの対象デバイスのデータ項目「ＭＡＣアドレス」には「ＣＤ：ＡＢ：ＥＦ：３３：２２：１１」が記憶されている。また、３つめの対象デバイスのデータ項目「データ」には「１」が記憶されている。また、３つめの対象デバイスのデータ項目「アクセスパス」には「￥ＤＣＩＭ￥．．￥ＡＢＣ００１２．ＪＰＧ」と、「￥ＤＣＩＭ￥．．￥ＡＢＣ００１５．ＪＰＧ」とが記憶されている。
【００７４】
上述した記憶内容より、図９に示した送信対象データリストのうち３つめの対象デバイスは、ＭＡＣアドレス「ＣＤ：ＡＢ：ＥＦ：３３：２２：１１」で特定される外部端末２０に対しては、送信対象データが有り、送信対象データのアクセスパスは「￥ＤＣＩＭ￥．．￥ＡＢＣ００１２．ＪＰＧ」と、「￥ＤＣＩＭ￥．．￥ＡＢＣ００１５．ＪＰＧ」とであることを示している。
【００７５】
また、図示する例では、４つめの対象デバイスのデータ項目「ＭＡＣアドレス」には「Ｕｎｋｎｏｗｎ」が記憶されている。また、４つめの対象デバイスのデータ項目「データ」には「１」が記憶されている。また、４つめの対象デバイスのデータ項目「アクセスパス」には「￥ＤＣＩＭ￥．．￥＊．ＪＰＧ」が記憶されている。
【００７６】
上述した記憶内容より、図９に示した送信対象データリストのうち４つめの対象デバイスは、送信対象データリストの各対象デバイスのデータ項目「ＭＡＣアドレス」で特定される外部端末２０以外に対しては、送信対象データが有り、送信対象データのアクセスパスは「￥ＤＣＩＭ￥．．￥＊．ＪＰＧ」であることを示している。
【００７７】
すなわち、ＭＡＣアドレス「０１：２３：４５：６７：８９：ＡＢ」で特定される外部端末２０、ＭＡＣアドレス「９８：７６：５４：ＤＤ：ＦＦ：００：１１」で特定される外部端末２０、ＭＡＣアドレス「ＣＤ：ＡＢ：ＥＦ：３３：２２：１１」で特定される外部端末２０以外の外部端末２０に対しては、送信対象データが有り、送信対象データのアクセスパスは「￥ＤＣＩＭ￥．．￥＊．ＪＰＧ」、すなわち、「￥ＤＣＩＭ￥．．￥」に記憶されている、拡張子が「ＪＰＧ」である全てのファイルであることを示している。
【００７８】
次に、無線通信端末１０と外部端末２０とがデータの送受信を行う際の動作手順について説明する。図１０は、本実施形態において、無線通信端末１０と外部端末２０とがデータの送受信を行う際の外部端末２０の動作手順を示したフローチャートである。
【００７９】
ステップＳ３０１〜ステップＳ３０４の処理は、第１の実施形態におけるステップＳ１０１〜１０３の処理と同様である。
（ステップＳ３０５）端末制御部２３は、ステップＳ３０３の処理で受信したデータから送信対象データリストを取得する。その後、ステップＳ３０６の処理に進む。
ステップＳ３０６〜ステップＳ３０９の処理は、第１の実施形態におけるステップＳ１０６〜１０９の処理と同様である。
【００８０】
（ステップＳ３１０）端末無線通信モジュール２１は、無線通信端末１０の無線通信モジュール１１に対して、ステップＳ３０５の処理で取得した送信対象データリストのうち、自装置のＭＡＣアドレスに対応する対象デバイスのデータ項目「アクセスパス」に記載されている送信対象データを要求する送信要求メッセージを送信する。その後、ステップＳ３１１の処理に進む。なお、自装置のＭＡＣアドレスに対応する対象デバイスのデータ項目「アクセスパス」に記載されている送信対象データを全て要求する送信要求メッセージを送信してもよい。また、自装置のＭＡＣアドレスに対応する対象デバイスのデータ項目「アクセスパス」に記載されている送信対象データのうち、ユーザに指定された一部の送信対象データのみを要求する送信要求メッセージを送信するようにしてもよい。自装置のＭＡＣアドレスに対応する対象デバイスのデータ項目「データ」が０の場合は、送信要求メッセージを送信しないことはいうまでもない。
【００８１】
ステップＳ３１１ステップＳ３１４の処理は、第１の実施形態におけるステップＳ１１１〜１１４の処理と同様である。
【００８２】
図１１は、本実施形態において、無線通信端末１０と外部端末２０とがデータの送受信を行う際の無線通信端末１０の動作手順を示したフローチャートである。
ステップＳ４０１の処理は、第１の実施形態におけるステップＳ２０１の処理と同様である。
【００８３】
（ステップＳ４０２）タグ制御部１２１は、タグ記憶部１２２が記憶する送信対象データリストを読み出し、送信対象データが有るか否かを判定する。送信対象データが有るとタグ制御部１２１が判定した場合にはステップＳ４０４の処理に進み、それ以外の場合にはステップＳ４０３の処理に進む。
【００８４】
（ステップＳ４０３）制御部１３は、無線通信モジュール１１がアクティブ（第１状態）であるか否かを判定する。アクティブであると制御部１３が判定した場合にはステップＳ４０７の処理に進み、それ以外の場合にはステップＳ４０１の処理に戻る。
【００８５】
（ステップＳ４０４）ＲＦＩＤモジュール１２は、タグ記憶部１２２が記憶している通信設定情報と送信対象データリストとを含んだデータを外部端末２０のタグ読み取り部２２に対して送信する。その後、ステップＳ４０５の処理に進む。
ステップＳ４０５〜ステップＳ４１０の処理は、第１の実施形態におけるステップＳ２０５〜２１０の処理と同様である。
【００８６】
（ステップＳ４１１）外部端末２０の端末無線通信モジュール２１は、無線通信端末１０に対して送信対象データの送信要求を行う場合には、送信対象データリストのうち、自装置のＭＡＣアドレスに対応する対象デバイスのデータ項目「アクセスパス」に記載されている送信対象データを要求する送信要求メッセージを送信する。無線通信モジュール１１は、送信要求メッセージが送信された場合には受信する。制御部１３は、無線通信モジュール１１が送信要求メッセージを受信したか否かを判定する。送信要求メッセージを受信したと制御部１３が判定した場合にはステップＳ４１４の処理に進み、それ以外の場合にはステップＳ４１２の処理に進む。
【００８７】
ステップＳ４１２〜ステップＳ４１３の処理は、第１の実施形態におけるステップＳ２１２〜２１３の処理と同様である。
（ステップＳ４１４）制御部１３は、記憶部１７が記憶している送信対象データのうち、ステップＳ４１１の処理で受信した送信要求メッセージで指定された送信対象データを抽出する。その後、ステップＳ４１５の処理に進む。
ステップＳ４１５〜ステップＳ４１８の処理は、第１の実施形態におけるステップＳ２１５〜２１８の処理と同様である。
【００８８】
上述した処理により、本実施形態によれば、外部端末２０のタグ読み取り部２２が、無線通信端末１０のＲＦＩＤモジュール１２から情報を読み取るだけで、無線通信モジュール１１を必要な場合のみ自動的にアクティブにし、必要なデータを自動的に送信することができる。また、データの送信後には無線通信モジュール１１は自動的にスタンバイに戻るため、外部端末２０を操作するユーザは、無線通信端末１０を一切操作することなく、所望のデータを取得することができる。
【００８９】
また、上述した処理により、本実施形態によれば、外部端末２０のタグ読み取り部２２が、無線通信端末１０のＲＦＩＤモジュール１２から情報を読み取った場合においても、送信対象データがない場合には無線通信モジュール１１が起動しないため、無駄な電力消費を回避することができる。
【００９０】
また、上述した処理により、無線通信モジュール１１と端末無線通信モジュール２１との無線通信接続前に、タグ読み取り部２２とＲＦＩＤモジュール１２とで送信対象データリストを送受信することで、記憶部１７が記憶する送信対象データのうち受信したい送信対象データリストを選択することができる。これにより、不必要な送信対象データの送受信を行うことが無くなるため、無駄な電力消費を回避することができる。さらに、送信対象データリストの送受信を、消費電力が大きい無線通信モジュール１１と端末無線通信モジュール２１とで行わず、タグ読み取り部２２とＲＦＩＤモジュール１２とで行っているため、低消費電力化に寄与することができる。
【００９１】
（第３の実施形態）
次に、本発明の第３の実施形態について説明する。本実施形態と第２の実施形態とで異なる点は、送信対象データリストを送信する外部端末２０毎に対する送信対象データが有るか否かを判定し、送信対象データが無い場合には無線通信モジュール１１をアクティブにしない点である。また、本実施形態の送信対象データリストには、送信対象データの情報を含む点である。なお、無線通信システム１と、無線通信端末１０と、外部端末２０との構成は、第１の実施形態における各構成と同様である。
【００９２】
図１２は、本実施形態における通信設定情報と送信対象データリストとのデータ構造を示した概略図である。本実施形態では、ＲＦＩＤモジュール１２のタグ記憶部１２２は、通信設定情報と送信対象データリストとを関連付けて記憶している。通信設定情報は、第１の実施形態と同様である。
【００９３】
送信対象データリストは、対象デバイス毎に、データ項目「ＭＡＣアドレス」と、データ項目「データ」と、データ項目「アクセスパス」と、データ項目「ＥＸＩＦ情報」と、データ項目「ＤＰＯＦ」とを含んでいる。データ項目「ＭＡＣアドレス」は、外部端末２０の端末無線通信モジュール２１のＭＡＣアドレスを記憶する。データ項目「データ」は、送信対象データの有無を示すデータを記憶する。本実施形態では送信対象データが有ることを示すデータを「１」とし、送信対象データが無いことを示すデータを「０」とする。データ項目「アクセスパス」は、無線通信端末１０の記憶部１７が記憶している送信対象データのアクセスパスを記憶する。
【００９４】
データ項目「ＥＸＩＦ情報」は、送信対象データの情報を記憶する。図示する例では、ＥＸＩＦ情報として、「撮影日時」と、「メーカー名」と、「モデル名」と、「撮影位置情報」とを含んでいる。データ項目「ＤＰＯＦ」は、ＤＰＯＦ（Ｄｉｇｉｔａｌ  Ｐｒｉｎｔ  Ｏｒｄｅｒ  Ｆｏｒｍａｔ）を記憶する。
【００９５】
図示する例では、１つめの対象デバイスのデータ項目「ＭＡＣアドレス」には「ＣＤ：ＡＢ：ＥＦ：３３：２２：１１」が記憶されている。また、１つめの対象デバイスのデータ項目「データ」には「１」が記憶されている。また、１つめの対象デバイスのデータ項目「アクセスパス」には「￥ＤＣＩＭ￥．．￥ＡＢＣ００１２．ＪＰＧ」と、「￥ＤＣＩＭ￥．．￥ＡＢＣ００１５．ＪＰＧ」とが記憶されている。
【００９６】
また、１つめの対象デバイスのデータ項目「ＥＸＩＦ情報」の「撮影日時」には「２００９＿０１−２００９＿１２  ￥Ｌｉｓｔ￥ｄａｔｅ＿２００９．ｘｍｌ」と「２０１０＿０１−２０２０＿１２  ￥Ｌｉｓｔ￥ｄａｔｅ＿２００９．ｘｍｌ」とが記憶されている。また、１つめの対象デバイスのデータ項目「ＥＸＩＦ情報」の「メーカー名」には「ＯＬＹＭＰＵＳ  ￥Ｌｉｓｔ￥ＯＬＹ．ｘｍｌ」が記憶されている。また、１つめの対象デバイスのデータ項目「ＥＸＩＦ情報」の「モデル名」には「Ａ０００１  ￥Ｌｉｓｔ￥Ｍｏｄｅｌ＿Ａ０００１．ｘｍｌ」と、「Ｂ０１２３  ￥Ｌｉｓｔ￥Ｍｏｄｅｌ＿Ｂ０１２３．ｘｍｌ」とが記憶されている。
【００９７】
また、１つめの対象デバイスのデータ項目「ＥＸＩＦ情報」の「撮影位置情報」には「京都  ￥Ｌｉｓｔ￥Ｐｌａｃｅ￥Ｋｙｏｔｏ．ｘｍｌ」と「大阪  ￥Ｌｉｓｔ￥Ｐｌａｃｅ￥Ｏｓａｋａ．ｘｍｌ」と、「Ｃａｌｉｆｏｒｎｉａ  ￥Ｌｉｓｔ￥Ｐｌａｃｅ￥Ｃａｌｉｆｏｒｎｉａ．ｘｍｌ」とが記憶されている。
また、１つめの対象デバイスのデータ項目「ＤＰＯＦ」には「￥ＤＣＩＭ￥．．￥ＡＢＣ００１２．ＪＰＧ」が記憶されている。
【００９８】
上述した記憶内容より、図１２に示した送信対象データリストのうち１つめの対象デバイスは、ＭＡＣアドレス「ＣＤ：ＡＢ：ＥＦ：３３：２２：１１」で特定される外部端末２０に対しては、送信対象データが有り、送信対象データのアクセスパスは「￥ＤＣＩＭ￥．．￥ＡＢＣ００１２．ＪＰＧ」と、「￥ＤＣＩＭ￥．．￥ＡＢＣ００１５．ＪＰＧ」とであることを示している。
【００９９】
また、送信対象データ「￥ＤＣＩＭ￥．．￥ＡＢＣ００１２．ＪＰＧ」と、「￥ＤＣＩＭ￥．．￥ＡＢＣ００１５．ＪＰＧ」とのＥＸＩＦ情報は、「撮影日時」が「２００９＿０１−２００９＿１２  ￥Ｌｉｓｔ￥ｄａｔｅ＿２００９．ｘｍｌ」と「２０１０＿０１−２０２０＿１２  ￥Ｌｉｓｔ￥ｄａｔｅ＿２００９．ｘｍｌ」とであり、撮影したカメラの「メーカー名」は「ＯＬＹＭＰＵＳ  ￥Ｌｉｓｔ￥ＯＬＹ．ｘｍｌ」であり、撮影したカメラの「モデル名」は「Ａ０００１  ￥Ｌｉｓｔ￥Ｍｏｄｅｌ＿Ａ０００１．ｘｍｌ」と、「Ｂ０１２３  ￥Ｌｉｓｔ￥Ｍｏｄｅｌ＿Ｂ０１２３．ｘｍｌ」とであり、「撮影位置情報」は「京都  ￥Ｌｉｓｔ￥Ｐｌａｃｅ￥Ｋｙｏｔｏ．ｘｍｌ」と「大阪  ￥Ｌｉｓｔ￥Ｐｌａｃｅ￥Ｏｓａｋａ．ｘｍｌ」と、「Ｃａｌｉｆｏｒｎｉａ  ￥Ｌｉｓｔ￥Ｐｌａｃｅ￥Ｃａｌｉｆｏｒｎｉａ．ｘｍｌ」とであることを示している。また、プリント対象の送信対象データは「￥ＤＣＩＭ￥．．￥ＡＢＣ００１２．ＪＰＧ」であることを示している。
【０１００】
また、図示する例では、２つめの対象デバイスのデータ項目「ＭＡＣアドレス」には「Ｕｎｋｎｏｗｎ」が記憶されている。また、２つめの対象デバイスのデータ項目「データ」には「１」が記憶されている。また、２つめの対象デバイスのデータ項目「アクセスパス」には「￥ＤＣＩＭ￥．．￥＊．ＪＰＧ」が記憶されている。
【０１０１】
また、２つめの対象デバイスのデータ項目「ＥＸＩＦ情報」の「撮影日時」には「２００９＿０１−２００９＿１２  ￥Ｌｉｓｔ￥ｄａｔｅ＿２００９．ｘｍｌ」と「２０１０＿０１−２０２０＿１２  ￥Ｌｉｓｔ￥ｄａｔｅ＿２００９．ｘｍｌ」とが記憶されている。また、２つめの対象デバイスのデータ項目「ＥＸＩＦ情報」の「メーカー名」には「ＯＬＹＭＰＵＳ  ￥Ｌｉｓｔ￥ＯＬＹ．ｘｍｌ」が記憶されている。また、２つめの対象デバイスのデータ項目「ＥＸＩＦ情報」の「モデル名」には「Ａ０００１  ￥Ｌｉｓｔ￥Ｍｏｄｅｌ＿Ａ０００１．ｘｍｌ」と、「Ｂ０１２３  ￥Ｌｉｓｔ￥Ｍｏｄｅｌ＿Ｂ０１２３．ｘｍｌ」とが記憶されている。
【０１０２】
また、２つめの対象デバイスのデータ項目「ＥＸＩＦ情報」の「撮影位置情報」には「京都  ￥Ｌｉｓｔ￥Ｐｌａｃｅ￥Ｋｙｏｔｏ．ｘｍｌ」と「大阪  ￥Ｌｉｓｔ￥Ｐｌａｃｅ￥Ｏｓａｋａ．ｘｍｌ」と、「Ｃａｌｉｆｏｒｎｉａ  ￥Ｌｉｓｔ￥Ｐｌａｃｅ￥Ｃａｌｉｆｏｒｎｉａ．ｘｍｌ」とが記憶されている。また、２つめの対象デバイスのデータ項目「ＤＰＯＦ」には「￥ＤＣＩＭ￥．．￥ＡＢＣ０００１．ＪＰＧ」と、「￥ＤＣＩＭ￥．．￥ＡＢＣ０００８．ＪＰＧ」と、「￥ＤＣＩＭ￥．．￥ＡＢＣ００１１．ＪＰＧ」と、「￥ＤＣＩＭ￥．．￥ＡＢＣ００２０．ＪＰＧ」とが記憶されている。
【０１０３】
上述した記憶内容より、図１２に示した送信対象データリストのうち２つめの対象デバイスは、送信対象データリストの各対象デバイスのデータ項目「ＭＡＣアドレス」で特定される外部端末２０以外に対しては、送信対象データが有り、送信対象データのアクセスパスは「￥ＤＣＩＭ￥．．￥＊．ＪＰＧ」とであることを示している。
【０１０４】
すなわち、ＭＡＣアドレス「ＣＤ：ＡＢ：ＥＦ：３３：２２：１１」で特定される外部端末２０以外の外部端末２０に対しては、送信対象データが有り、送信対象データのアクセスパスは「￥ＤＣＩＭ￥．．￥＊．ＪＰＧ」、すなわち、「￥ＤＣＩＭ￥．．￥」に記憶されている、拡張子が「ＪＰＧ」である全てのファイルであることを示している。
【０１０５】
また、送信対象データ「￥ＤＣＩＭ￥．．￥＊．ＪＰＧ」のＥＸＩＦ情報は、「撮影日時」が「２００９＿０１−２００９＿１２  ￥Ｌｉｓｔ￥ｄａｔｅ＿２００９．ｘｍｌ」と「２０１０＿０１−２０２０＿１２  ￥Ｌｉｓｔ￥ｄａｔｅ＿２００９．ｘｍｌ」とであり、撮影したカメラの「メーカー名」は「ＯＬＹＭＰＵＳ  ￥Ｌｉｓｔ￥ＯＬＹ．ｘｍｌ」であり、撮影したカメラの「モデル名」は「Ａ０００１  ￥Ｌｉｓｔ￥Ｍｏｄｅｌ＿Ａ０００１．ｘｍｌ」と、「Ｂ０１２３  ￥Ｌｉｓｔ￥Ｍｏｄｅｌ＿Ｂ０１２３．ｘｍｌ」とであり、「撮影位置情報」は「京都  ￥Ｌｉｓｔ￥Ｐｌａｃｅ￥Ｋｙｏｔｏ．ｘｍｌ」と「大阪  ￥Ｌｉｓｔ￥Ｐｌａｃｅ￥Ｏｓａｋａ．ｘｍｌ」と、「Ｃａｌｉｆｏｒｎｉａ  ￥Ｌｉｓｔ￥Ｐｌａｃｅ￥Ｃａｌｉｆｏｒｎｉａ．ｘｍｌ」とであることを示している。また、プリント対象の送信対象データは「￥ＤＣＩＭ￥．．￥ＡＢＣ０００１．ＪＰＧ」と、「￥ＤＣＩＭ￥．．￥ＡＢＣ０００８．ＪＰＧ」と、「￥ＤＣＩＭ￥．．￥ＡＢＣ００１１．ＪＰＧ」と、「￥ＤＣＩＭ￥．．￥ＡＢＣ００２０．ＪＰＧ」であることを示している。
【０１０６】
次に、無線通信端末１０と外部端末２０とがデータの送受信を行う際の動作手順について説明する。図１３は、本実施形態において、無線通信端末１０と外部端末２０とがデータの送受信を行う際の外部端末２０の動作手順を示したフローチャートである。
ステップＳ５０１〜ステップＳ５０５の処理は、第２の実施形態におけるステップＳ３０１〜Ｓ３０５の処理と同様である。
【０１０７】
（ステップＳ５０６）端末制御部２３は、ユーザの入力に応じて、受信したい送信対象データのカテゴリ（条件）を指定する。カテゴリとしては、外部端末２０自身のＭＡＣアドレスや、送信対象データの撮影日時や撮影場所等である。続いて、タグ読み取り部２２は、端末制御部２３が指定したカテゴリを示す情報を無線通信モジュール１１のＲＦＩＤモジュール１２に送信する。その後、ステップＳ５０７の処理に進む。
ステップＳ５０７〜ステップＳ５１５の処理は、第２の実施形態におけるステップＳ３０６〜Ｓ３１４の処理と同様である。
【０１０８】
図１４は、本実施形態において、無線通信端末１０と外部端末２０とがデータの送受信を行う際の無線通信端末１０の動作手順を示したフローチャートである。
ステップＳ６０１の処理は、第２の実施形態におけるステップＳ４０１の処理と同様である。
【０１０９】
（ステップＳ６０２）ＲＦＩＤモジュール１２は、タグ記憶部１２２が記憶している通信設定情報と送信対象データリストとを含んだデータを外部端末２０のタグ読み取り部２２に対して送信する。その後、ステップＳ６０３の処理に進む。
【０１１０】
（ステップＳ６０３）外部端末２０のタグ読み取り部２２は、ＲＦＩＤモジュール１２に対してカテゴリを示す情報を送信する。ＲＦＩＤモジュール１２は、外部端末２０から送信されたカテゴリを示す情報を受信する。その後、ステップＳ６０４の処理に進む。
【０１１１】
（ステップＳ６０４）タグ制御部１２１は、タグ記憶部１２２が記憶する送信対象データリストを読み出し、ステップＳ６０３の処理で受信した情報が示すカテゴリと一致する送信対象データがあるか否かを判定する。カテゴリと一致する送信対象データが有るとタグ制御部１２１が判定した場合にはステップＳ６０６の処理に進み、それ以外の場合にはステップＳ６０５の処理に進む。
【０１１２】
（ステップＳ６０５）制御部１３は、無線通信モジュール１１がアクティブ（第１状態）であるか否かを判定する。アクティブであると制御部１３が判定した場合にはステップＳ６０８の処理に進み、それ以外の場合にはステップＳ６０１の処理に戻る。
【０１１３】
ステップＳ６０６〜ステップＳ６１９の処理は、第２の実施形態におけるステップＳ４０５〜４１８の処理と同様である。
【０１１４】
上述した処理により、本実施形態によれば、外部端末２０のタグ読み取り部２２が、無線通信端末１０のＲＦＩＤモジュール１２から情報を読み取るだけで、無線通信モジュール１１を必要な場合のみ自動的にアクティブにし、必要なデータを自動的に送信することができる。また、データの送信後には無線通信モジュール１１は自動的にスタンバイに戻るため、外部端末２０を操作するユーザは、無線通信端末１０を一切操作することなく、所望のデータを取得することができる。
【０１１５】
また、上述した処理により、本実施形態によれば、外部端末２０のタグ読み取り部２２が、無線通信端末１０のＲＦＩＤモジュール１２から情報を読み取った場合においても、送信対象データがない場合には無線通信モジュール１１が起動しないため、無駄な電力消費を回避することができる。
【０１１６】
また、上述した処理により、無線通信モジュール１１と端末無線通信モジュール２１との無線通信接続前に、タグ読み取り部２２とＲＦＩＤモジュール１２とで送信対象データリストを送受信することで、記憶部１７が記憶する送信対象データのうち受信したい送信対象データリストを選択することができる。これにより、不必要な送信対象データの送受信を行うことが無くなるため、無駄な電力消費を回避することができる。さらに、送信対象データリストの送受信を、消費電力が大きい無線通信モジュール１１と端末無線通信モジュール２１とで行わず、タグ読み取り部２２とＲＦＩＤモジュール１２とで行っているため、低消費電力化に寄与することができる。
【０１１７】
また、上述した処理により、無線通信端末１０のＲＦＩＤモジュール１２は、外部端末２０から送信されるカテゴリを示す情報を受信する。そして、タグ制御部１２１は、カテゴリに該当する送信対象データが有る場合には無線通信モジュール１１をアクティブにし、カテゴリに該当する送信対象データが無い場合には無線通信モジュール１１をアクティブにしない。これにより、複数の外部端末２０ごとに、無線通信モジュール１１の細かな状態設定を行うことができる。
【０１１８】
なお、Ｕｎｋｎｏｗｎデバイスとして認識した外部端末２０に対して全ての送信対象データを送信した後、データ更新部１４は、タグ記憶部１２２が記憶している送信対象データリストに、当該外部端末２０の「対象デバイス」を新たに作成する（図１４に示したフローチャートではステップＳ６１９の処理）。新たに作成する「対象デバイス」の内容は、データ項目「ＭＡＣアドレス」には当該外部端末２０のＭＡＣアドレスを記憶し、全ての送信対象データを送信したためデータ項目「データ」には「０」を記憶する。
【０１１９】
なお、データ更新部１４が送信対象データリストのデータ項目「データ」の値を「１」から「０」に更新し、データ項目「アクセスパス」の値を削除するタイミングとしては、例えば、送信対象データの送信直後や通信切断後、無線モジュールへの電源遮断後またはスタンバイ指示後、無線通信端末１０自体の電源ＯＦＦ指示後がある。
【０１２０】
また、データ更新部１４が送信対象データリストのデータ項目「データ」の値を「０」から「１」に更新し、データ項目「アクセスパス」に値を追加するタイミングとしては、新たな画像データが無線通信端末１０の記憶部１７に記憶された直後や、記憶されてから一定時間経過時がある。例えば、無線通信端末１０がデジタルカメラであれば、一定時間撮影指示が無いときや、画像再生指示後や、電源ＯＦＦ指示後がある。
【０１２１】
また、上述した例では、外部端末２０を特定する情報としてＭＡＣアドレスを使用しているが、これに限らず、ＵＵＩＤ（Ｕｓｅｒ  Ｕｎｉｑｕｅ  ＩＤ）やニックネーム等、任意の名前で特定するようにしてもよい。
【０１２２】
また、送信対象データリストのうち、ＭＡＣアドレスが「Ｕｎｋｎｏｗｎ」である対象デバイスのアクセスパスの項目は、記憶部１７に記憶された全データが送信対象データとなる場合が多い。この場合には、送信対象データリストのデータ量が多くなるため、送信対象データリストにファイルパスやファイル名で全て記憶するのではなく、メタデータで管理するようにしてもよい。この場合には、外部端末２０のタグ読み取り部２２は、無線通信端末１０のＲＦＩＤモジュール１２からメタデータを読み出すようにしてよい。また、メタデータの管理は外部端末２０毎に行っても良い。
【０１２３】
メタデータは、例えばテキスト形式で記述され、タグ記憶部１２２には、テキストデータでファイルパスが記憶されてもよい。メタデータの構成自体は、公知のｘｍｌ、ＨＴＭＬ形式でもよいため、特に図示しない。
【０１２４】
無線通信端末１０は、メタデータであるテキストデータを外部端末２０に送信し、外部端末２０はテキストデータから送信対象データのファイルパスを抽出し、そのファイルパス情報に基づいて、データ送信要求を行うようにしてもよい。なお、メタデータの生成は、無線通信端末１０の制御部１３が備えるデータ有無情報生成部１３１が行うようにしてもよい。
【０１２５】
図１５は、本実施形態において、制御部１３がデータ有無情報生成部１３１を備える無線通信端末３０の構成を示したブロック図である。図示する例では、無線通信端末３０は、無線通信モジュール１１と、ＲＦＩＤモジュール１２と、制御部１３と、データ更新部１４と、電源部１５と、電源制御部１６と、記憶部１７とを備えている。無線通信モジュール１１と、ＲＦＩＤモジュール１２と、データ更新部１４と、電源部１５と、電源制御部１６とは図３に示した各部と同様である。制御部１３は、データ有無情報生成部１３１を備えている。データ有無情報生成部１３１は、メタデータを生成する。
【０１２６】
また、ＲＦＩＤモジュール１２は、外部端末２０が発生する高周波磁界による起電力に基づいて動作するが、タグ記憶部１２２が大量のデータを記憶することを想定し、ＲＦＩＤモジュール１２専用の電源を備えるようにしてもよい。
【０１２７】
図１６は、本実施形態において、ＲＦＩＤ用電源を備える無線通信端末４０の構成を示したブロック図である。図示する例では、無線通信端末４０は、無線通信モジュール１１と、ＲＦＩＤモジュール１２と、制御部１３と、データ更新部１４と、電源部１５と、電源制御部１６と、記憶部１７と、ＲＦＩＤ用電源１８とを備えている。無線通信モジュール１１と、ＲＦＩＤモジュール１２と、制御部１３と、データ更新部１４と、電源部１５と、電源制御部１６とは図３に示した各部と同様である。ＲＦＩＤ用電源１８は、ＲＦＩＤモジュール１２に対して電力を供給する。なお、この構成の場合、ＲＦＩＤモジュール１２を用いた通信や、制御部１３等とのデータの入出力や、タグ記憶部１２２の更新等が完了すると、ＲＦＩＤ用電源１８は、ＲＦＩＤモジュール１２への電源供給を遮断するよう動作する。
【０１２８】
また、上述した例では、無線通信端末１０から外部端末２０に対して送信対象データを送信する例を用いて説明したが、これに限らない。例えば、無線通信端末１０の無線通信モジュール１１と、外部端末２０の端末無線通信モジュール２１とは通信接続を確立するため、外部端末２０から無線通信端末１０に対してデータを送信するようにしてもよい。
【０１２９】
（第４の実施形態）
次に、本発明の第４の実施形態について説明する。本実施形態と第１の実施形態とで異なる点は、本実施形態の無線通信端末１０は表示部を備え、送信対象データを送信している際に、送信していることを示す表示を行う点である。なお、外部端末２０の構成は、第１の実施形態における構成と同様である。
【０１３０】
図１７は、本実施形態における無線通信端末５０の構成を示したブロック図である。図示する例では、無線通信端末５０は、無線通信モジュール１１と、ＲＦＩＤモジュール１２と、制御部１３と、データ更新部１４と、電源部１５と、電源制御部１６と、記憶部１７と、表示部５１とを備えている。無線通信モジュール１１と、ＲＦＩＤモジュール１２と、制御部１３と、データ更新部１４と、電源部１５と、電源制御部１６とは図３に示した各部と同様である。表示部５１は、画像やＧＵＩを表示するディスプレイとＬＥＤとを備える。
【０１３１】
次に、無線通信端末５０と外部端末２０とがデータの送受信を行う際の動作手順について説明する。無線通信端末５０と外部端末２０とがデータの送受信を行う際の外部端末２０の動作手順は、第１の実施形態における外部端末２０の動作手順と同様である。
【０１３２】
図１８は、本実施形態において、無線通信端末５０と外部端末２０とがデータの送受信を行う際の無線通信端末５０の動作手順を示したフローチャートである。
ステップＳ７０１〜ステップＳ７１５の処理は、第１の実施形態におけるステップＳ２０１〜Ｓ２１５の処理と同様である。
【０１３３】
（ステップＳ７１６）制御部１３は、表示部５１のＬＥＤを点灯させる。その後、ステップＳ７１７の処理に進む。
ステップＳ７１７の処理は、第１の実施形態におけるステップＳ２１６の処理と同様である。
【０１３４】
（ステップＳ７１８）制御部１３は、表示部５１のＬＥＤを消灯させる。その後、ステップＳ７１９の処理に進む。
ステップＳ７１９〜Ｓ７２０の処理は、第１の実施形態におけるステップＳ２１７〜Ｓ２１８の処理と同様である。
【０１３５】
上述した処理により、本実施形態によれば、外部端末２０のタグ読み取り部２２が、無線通信端末５０のＲＦＩＤモジュール１２から情報を読み取るだけで、無線通信モジュール１１を必要な場合のみ自動的にアクティブにし、必要なデータを自動的に送信することができる。また、データの送信後には無線通信モジュール１１は自動的にスタンバイに戻るため、外部端末２０を操作するユーザは、無線通信端末５０を一切操作することなく、所望のデータを取得することができる。
【０１３６】
また、上述した処理により、本実施形態によれば、外部端末２０のタグ読み取り部２２が、無線通信端末５０のＲＦＩＤモジュール１２から情報を読み取った場合においても、送信対象データがない場合には無線通信モジュール１１が起動しないため、無駄な電力消費を回避することができる。
【０１３７】
また、上述した処理により、本実施形態によれば、送信対象データの送信中には表示部５１のＬＥＤが点灯するため、データの送信であるか否かをユーザに分かりやすく知らせることができる。また、表示部５１に供給する電力もＬＥＤの点灯に使用するだけの最小限の電力供給とするため、無線通信端末５０の省電力化に寄与できる。
【０１３８】
（第５の実施形態）
次に、本発明の第５の実施形態について説明する。本実施形態と第４の実施形態とで異なる点は、本実施形態の無線通信端末６０の電源制御部１６は判定部を備え、電源部１５の残電力量に応じて電力の供給先を切り替える点である。なお、外部端末２０の構成は、第４の実施形態における構成と同様である。
【０１３９】
図１９は、本実施形態における無線通信端末６０の構成を示したブロック図である。図示する例では、無線通信端末５０は、無線通信モジュール１１と、ＲＦＩＤモジュール１２と、制御部１３と、データ更新部１４と、電源部１５と、電源制御部１６と、記憶部１７と、表示部５１とを備えている。無線通信モジュール１１と、ＲＦＩＤモジュール１２と、制御部１３と、データ更新部１４と、電源部１５と、表示部５１とは図１７に示した各部と同様である。電源制御部１６は判定部１６１を備えている。判定部１６１は、電源部１５の残電力量を判定する。
【０１４０】
次に、無線通信端末６０と外部端末２０とがデータの送受信を行う際の動作手順について説明する。無線通信端末６０と外部端末２０とがデータの送受信を行う際の外部端末２０の動作手順は、第４の実施形態における外部端末２０の動作手順と同様である。
【０１４１】
図２０は、本実施形態において、無線通信端末５０と外部端末２０とがデータの送受信を行う際の無線通信端末５０の動作手順を示したフローチャートである。
ステップＳ８０１〜ステップＳ８０４の処理は、第３の実施形態におけるステップＳ７０１〜Ｓ７０４の処理と同様である。
【０１４２】
（ステップＳ８０５）判定部１６１は、電源部１５の電圧値ＶＢＡＴを取得する。また、判定部１６１は、第１の閾値Ａと第２の閾値Ｂとを記憶部１７から読み出す。その後、ステップＳ８０６の処理に進む。なお、第１の閾値Ａと第２の閾値Ｂとは予め決められていてもよく、任意に設定できるようにしてもよい。
【０１４３】
（ステップＳ８０６）判定部１６１は、ステップＳ８０５で取得した電源部１５の電圧値ＶＢＡＴが第２の閾値Ｂより大きいか否かを判定する。電源部１５の電圧値ＶＢＡＴが第２の閾値Ｂより大きいと判定した場合にはステップＳ８１０の処理に進み、それ以外の場合にはステップＳ８０７の処理に進む。
【０１４４】
（ステップＳ８０７）判定部１６１は、ステップＳ８０５で取得した電源部１５の電圧値ＶＢＡＴが第１の閾値Ａより大きいか否かを判定する。電源部１５の電圧値ＶＢＡＴが第１の閾値Ａより大きいと判定した場合にはステップＳ８０９の処理に進み、それ以外の場合にはステップＳ８０８の処理に進む。
【０１４５】
（ステップＳ８０８）電源制御部１６は、全ブロックをスタンバイの状態とする。また、制御部１３は、表示部５１のＬＥＤを点灯させ、警告表示を行う。その後、ステップＳ８０１の処理に戻る。
（ステップＳ８０９）電源制御部１６は、無線通信モジュール１１と、記憶部１７のみをアクティブの状態とする。その後、ステップＳ８１１の処理に進む。
【０１４６】
（ステップＳ８１０）電源制御部１６は、全ブロックをアクティブの状態とする。その後、ステップＳ８１１の処理に進む。
ステップＳ８１１〜ステップＳ８１９の処理は、第３の実施形態におけるステップＳ７０７〜Ｓ７１５の処理と同様である。
【０１４７】
（ステップＳ８２０）制御部１３は、表示部５１に送信データの送信中であることを示す情報を表示させる。その後、ステップＳ８２１の処理に進む。なお、送信データの送信中であることを示す情報の表示としては、ステップＳ８１０の処理で全ブロックをアクティブの状態とした場合には、表示部５１に通信状態の詳細を示す情報をＧＵＩ等で表示させる。また、ステップＳ８０９の処理で無線通信モジュール１１と、記憶部１７のみをアクティブの状態とした場合には、表示部５１のＬＥＤを点灯させる。
【０１４８】
ステップＳ８２１の処理は、第３の実施形態におけるステップＳ７１７の処理と同様である。
（ステップＳ８２２）制御部１３は、ステップＳ８２０の処理で開始した、表示部５１による送信データの送信中であることを示す情報の表示を終了させる。その後、ステップＳ８２３の処理に進む。
ステップＳ８２３〜Ｓ８２４の処理は、第３の実施形態におけるステップＳ７１９〜Ｓ７２０の処理と同様である。
【０１４９】
上述した処理により、本実施形態によれば、外部端末２０のタグ読み取り部２２が、無線通信端末６０のＲＦＩＤモジュール１２から情報を読み取るだけで、無線通信モジュール１１を必要な場合のみ自動的にアクティブにし、必要なデータを自動的に送信することができる。また、データの送信後には無線通信モジュール１１は自動的にスタンバイに戻るため、外部端末２０を操作するユーザは、無線通信端末６０を一切操作することなく、所望のデータを取得することができる。
【０１５０】
また、上述した処理により、本実施形態によれば、外部端末２０のタグ読み取り部２２が、無線通信端末６０のＲＦＩＤモジュール１２から情報を読み取った場合においても、送信対象データがない場合には無線通信モジュール１１が起動しないため、無駄な電力消費を回避することができる。
【０１５１】
また、上述した処理により、本実施形態によれば、電源部１５の残電力量が多い場合には、表示部５１にＧＵＩ等で送信状態を表示させる。これにより、電源部１５の残電力量に余裕がある場合には、より詳細な送信状態をユーザに知らせることができる。
【０１５２】
なお、上述した実施形態における無線通信端末１０，３０，４０，５０，６０と、外部端末２０が備える各部の機能全体あるいはその一部は、これらの機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、ＯＳや周辺機器等のハードウェアを含むものとする。
【０１５３】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶部のことをいう。さらに「コンピュータ読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０１５４】
以上、この発明の第１の実施形態から第４の実施形態について図面を参照して詳述してきたが、具体的な構成はこの実施形態に限られるものではなく、この発明の要旨を逸脱しない範囲の設計等も含まれる。
【符号の説明】
【０１５５】
１・・・無線通信システム、１０，３０，４０，５０，６０・・・無線通信端末、１１・・・無線通信モジュール、１２・・・ＲＦＩＤモジュール、１３・・・制御部、１４・・・データ更新部、１５・・・電源部、１６・・・電源制御部、１７・・・記憶部、１８・・・ＲＦＩＤ用電源、２０・・・外部端末、２１・・・端末無線通信モジュール、２２・・・タグ読み取り部、２３・・・端末制御部、２４・・・端末電源部、２５・・・端末記憶部、５１・・・表示部、１１１・・・通信制御部、１１２・・・無線部、１２１・・・タグ制御部、１２２・・・タグ記憶部、１２３・・・タグアンテナ部、１３１・・・データ有無情報生成部、１５１・・・バッテリー部、１５２・・・ＤＣ／ＤＣコンバータ、１６１・・・判定部、１２１１・・・読取要求検出部
【図１】
2015026212.tif 000003
【図２】
2015026212.tif 000004
【図３】
2015026212.tif 000005
【図４】
2015026212.tif 000006
【図５】
2015026212.tif 000007
【図６】
2015026212.tif 000008
【図７】
2015026212.tif 000009
【図８】
2015026212.tif 000010
【図９】
2015026212.tif 000011
【図１０】
2015026212.tif 000012
【図１１】
2015026212.tif 000013
【図１２】
2015026212.tif 000014
【図１３】
2015026212.tif 000015
【図１４】
2015026212.tif 000016
【図１５】
2015026212.tif 000017
【図１６】
2015026212.tif 000018
【図１７】
2015026212.tif 000019
【図１８】
2015026212.tif 000020
【図１９】
2015026212.tif 000021
【図２０】
2015026212.tif 000022